(57)【要約】【課題】配光特性制御、高輝度化、小型・軽量化が容易な集合線状照明装置およびその駆動方法、並びに灯具を提供する。【解決手段】集合線状照明装置は、レーザー光を放出する光源と、複数の発光ユニットと、を備える。前記複数の発光ユニットのそれぞれは、前記光源から放出される前記レーザー光が入射される入射面と、前記入射したレーザー光を出射する出射面と、を有する線状導光体を有し、前記線状導光体のそれぞれの前記出射面から放出される光を照明光として放出可能である。前記複数の発光ユニットは、直線に沿って配置されるか、曲線に沿って配置されるか、折れ線状に配置されるか、のいずれかである。【選択図】図１
2013080638.tif 000002
【特許請求の範囲】
【請求項１】
レーザー光を放出する光源と、
複数の発光ユニットであって、前記複数の発光ユニットのそれぞれは、前記光源から放出される前記レーザー光が入射される入射面と、前記入射したレーザー光を出射する出射面と、を有する線状導光体を有し、前記線状導光体のそれぞれの前記出射面から放出される光を照明光として放出可能な、複数の発光ユニットと、
を備え、
前記複数の発光ユニットは、直線に沿って配置されるか、曲線に沿って配置されるか、折れ線状に配置されるか、のいずれかであることを特徴とする集合線状照明装置。
【請求項２】
複数の光ファイバーであって、前記複数の光ファイバーのそれぞれは、前記光源からのレーザー光が入射される第１の端部と、前記第１の端部に入射された前記レーザー光を出射する第２の端部と、を有する、複数の光ファイバーをさらに備え、
前記複数の光ファイバーのそれぞれは、前記光源と、前記複数の発光ユニットの前記線状導光体のそれぞれの前記入射面と、のあいだに設けられたことを特徴とする請求項１記載の集合線状照明装置。
【請求項３】
前記複数の発光ユニットのそれぞれは、前記線状導光体を配設可能な溝部が設けられたリフレクタを有することを特徴とする請求項１または２に記載の集合線状照明装置。
【請求項４】
前記複数の発光ユニットの前記それぞれは、前記溝部内において前記線状導光体に沿って設けられかつ前記レーザー光を吸収して波長変換光を放出する波長変換層をさらに有し、
前記リフレクタは、前記レーザー光と前記波長変換光を反射可能であり、
前記レーザー光と前記波長変換光は、前記出射面から放出されて前記照明光を生成することを特徴とする請求項３記載の集合線状照明装置。
【請求項５】
前記複数の発光ユニットのそれぞれは、前記線状導光体を配設可能な溝部が設けられたリフレクタを有し、
前記複数の光ファイバーのそれぞれの前記第２の端部は、前記溝部内に配設されたことを特徴とする請求項２記載の集合線状照明装置。
【請求項６】
前記複数の発光ユニットの前記それぞれは、前記溝部内において前記線状導光体に沿って設けられかつ前記レーザー光を吸収して波長変換光を放出する波長変換層をさらに有し、
前記リフレクタは、前記レーザー光と前記波長変換光を反射可能であり、
前記レーザー光と前記波長変換光は、前記出射面から放出されて前記照明光を生成し、
前記線状導光体は、貫通孔を有し、
前記貫通孔の一方には、前記複数の光ファイバ−のそれぞれの前記第２の端部が挿入され、
前記貫通孔の他方には、前記波長変換層が設けられたことを特徴とする請求項５記載の集合線状照明装置。
【請求項７】
前記波長変換層は、前記複数の光ファイバーのそれぞれが有するコアの外縁に接して設けられたことを特徴とする請求項６記載の集合線状照明装置。
【請求項８】
前記光源は、独立に駆動可能な複数のレーザー素子を有し、
前記複数の発光ユニットのそれぞれには、前記複数のレーザー素子のそれぞれからのレーザー光が入射されることを特徴とする１〜７のいずれか１つに記載の集合線状照明装置。
【請求項９】
前記光源は、レーザー素子と、前記レーザー素子から放出されたレーザー光の光路を変化させる光学要素と、を有し、
前記レーザー素子から放出された前記レーザー光の光路を前記光学要素により変化させることにより、前記複数の発光ユニットが有する前記線状導光体のそれぞれに前記レーザー光を選択的に入射させることを特徴とする請求項１〜７のいずれか１つに記載の集合線状照明装置。
【請求項１０】
前記光源を制御可能な制御部をさらに備え、
前記制御部は、前記複数の発光ユニットのそれぞれに入射される前記レーザー光の強度を調節可能であることを特徴とする請求項１〜９のいずれか１つに記載の集合線状照明装置。
【請求項１１】
前記光源で生じた熱を放散可能な放熱体と、
前記光源を収納可能であり、底面に前記放熱体が取り付けられた筐体と、
をさらに備えたことを特徴とする請求項１０記載の集合線状照明装置。
【請求項１２】
請求項１０記載の集合線状照明装置を用い、
前記複数の発光ユニットから放出される前記照明光の配光特性を前記制御部により調整することを特徴とする集合線状照明装置の駆動方法。
【請求項１３】
請求項１０記載の集合線状照明装置を備え、
前記照明光の配光特性は、前記制御部により制御可能であることを特徴とする灯具。
【発明の詳細な説明】
【技術分野】
【０００１】
本発明の実施形態は、集合線状照明装置およびその駆動方法、並びに灯具に関する。
【背景技術】
【０００２】
照明装置用の固体発光素子(light-emitting devices for solid-state lighting applications)は、ＬＥＤ(light emitting diode)が主流である。ＬＥＤは、discreteな発光素子である。従って、線状照明装置を実現するには、ＬＥＤを並べたアレイ光源の形式となる。アレイ光源はその性質上、粒状発光となり、見た目が不自然であり、粒状発光のぎらつき感が目に刺激的である。
【０００３】
また、粒々感を軽減して、できるだけ均一な発光を目指す場合は、高密度アレイにするので、素子数が多くなる。素子数が多ければ、コストが高くなり、特性の揃ったＬＥＤ素子を選別する必要もある。
【０００４】
たとえば、ＬＥＤを自動車のヘッドランプに応用する場合は、ヘッドランプユニットに放熱のためのヒートシンクやフィンが必要になり、また、配光特性を制御するための反射鏡やレンズなども必要とされる。このため、ヘッドランプユニットの重量もサイズも大きくなる。
【先行技術文献】
【特許文献】
【０００５】
【特許文献１】特許第３４３４７２６号公報
【発明の概要】
【発明が解決しようとする課題】
【０００６】
配光特性制御、高輝度化、小型・軽量化が容易な集合線状照明装置およびその駆動方法、並びに灯具を提供する。
【課題を解決するための手段】
【０００７】
実施形態の集合線状照明装置は、集合線状照明装置は、レーザー光を放出する光源と、複数の発光ユニットと、を備える。前記複数の発光ユニットのそれぞれは、前記光源から放出される前記レーザー光が入射される入射面と、前記入射したレーザー光を出射する出射面と、を有する線状導光体を有し、前記線状導光体のそれぞれの前記出射面から放出される光を照明光として放出可能である。前記複数の発光ユニットは、直線に沿って配置されるか、曲線に沿って配置されるか、折れ線状に配置されるか、のいずれかである。
【０００８】
また、実施形態の集合線状照明装置の駆動方法は、前記光源を制御可能な制御部をさらに備え、前記制御部は、前記複数の発光ユニットのそれぞれに入射される前記レーザー光の強度を調節可能である上記の集合線状照明装置を用い、前記複数の発光ユニットから放出される前記照明光の配光特性を前記制御部により調整する。
【０００９】
また、実施形態の灯具は、前記光源を制御可能な制御部をさらに備え、前記制御部は、前記複数の発光ユニットのそれぞれに入射される前記レーザー光の強度を調節可能である上記の集合線状照明装置を備え、前記照明光の配光特性は、前記制御部により制御可能である。
【発明の効果】
【００１０】
配光特性制御、高輝度化、小型・軽量化が容易な集合線状照明装置およびその駆動方法、並びに灯具を提供する。
【図面の簡単な説明】
【００１１】
【図１】第１の実施形態にかかる集合線状照明装置の模式斜視図である。
【図２】図２（ａ）は第１の実施形態にかかる集合線状照明装置の模式斜視図、図２（ｂ）は部分模式斜視図、である。
【図３】図３（ａ）は第２の実施形態にかかる集合線状照明装置の模式斜視図、図３（ｂ）は発光ユニットの模式斜視図、である。
【図４】図４（ａ）は発光ユニットの模式斜視図、図４（ｂ）はこれを用いた第３の実施形態にかかる集合線状照明装置の模式斜視図、である。
【図５】図５（ａ）は発光ユニットの模式斜視図、図５（ｂ）はレンズおよび放熱板を取り付けた発光ユニットの模式斜視図、図５（ｃ）はこれを用いた第４の集合線状照明装置の模式斜視図、である。
【図６】図６（ａ）は発光ユニットの模式断面図、図６（ｂ）は発光ユニットを直線に沿って配置した集合線状照明装置の模式斜視図、図６（ｃ）は溝部に蛍光体および光拡散剤を塗布した集合線状照明装置、図６（ｄ）はレンズを配設した集合線状照明装置、である。
【図７】図７（ａ）は第６の実施形態にかかる集合線状照明装置の模式斜視図、図７（ｂ）はＡ−Ａ線に沿った模式断面図、である。
【図８】第７の実施形態にかかる集合線状照明装置の模式斜視図である。
【図９】図９（ａ）は、レーザー光を掃引して線状導光体へ入射する集合線状照明装置の模式斜視図、図９（ｂ）はその変形例の部分模式斜視図、である。
【図１０】集合線状照明装置を応用した画像表示装置用バックライト光源の模式斜視図である。画像表示装置のバックライト光源の応用例を説明する模式図である。
【発明を実施するための形態】
【００１２】
以下、図面を参照しつつ本発明の実施の形態について説明する。
図１は、第１の実施形態にかかる集合線状照明装置の模式斜視図である。
集合線状照明装置は、半導体レーザーからなる光源１０と、複数の発光ユニット６０ａと、６０ｂ、６０ｃ、光ファイバー２０と、を有している。
【００１３】
発光ユニット６０は、線状導光体３０を少なくとも有する。線状導光体３０は、光源１０からのレーザー光１０ａは、光ファイバー２０内を伝搬したのち、線状導光体３０へ入射する。レーザー光１０ａの一部は、導光体３０の側面から上方へ放出される。図１において、３つの発光ユニット６０ａ、６０ｂ、６０ｃが、上方から見て、折れ線状に配置されている。
【００１４】
発光ユニット６０の数は、３つに限定されず、照明装置に対する要求に応じて、たとえば、２〜２０などとすることができる。また、発光ユニット６０は、上方からみて、直線に沿って配置されるか、曲線に沿って配置されるか、折れ線状に配置されるか、のいずれかとすることができる。
【００１５】
発光ユニット６０は、光広がり角が狭いレーザー光１０ａを放出する光源１０および幅が狭い線状導光体３０を有することにより、高輝度とすることができる。また、複数の発光ユニット６０の駆動をそれぞれ制御することにより、集合線状照明装置９０の配光を所望の特性とすることができる。
【００１６】
図２（ａ）は第１の実施形態にかかる集合線状照明装置の模式斜視図、図２（ｂ）は部分模式斜視図、である。
発光ユニット６０は、金属などからなるリフレクタ４０をさらに有してもよい。リフレクタ４０に溝部６０ａを設けると、線状導光体３０を確実に配設することができる。また、溝部６０ａの内壁をミラー面とすると、光反射率を高めることができる。また、線状導光体３０は、たとえば、ガラスや透明樹脂などの材料からなるものとする。さらに、線状導光体３０の断面は、矩形、円形、楕円形、多角形、などとすることができる。
【００１７】
また、発光ユニット６０は、線状導光体３０の近傍に波長変換層３２を設けることができる。波長変換層３２は、図２（ｂ）のように、たとえば、線状導光体３０の下面３０ｃに接するように設けることができる。線状導光体３０内を伝搬したレーザー光１０ａのうちの一部は、下面３０ｃを通り抜け、波長変換層３２に入射する。もし、波長変換層３２が蛍光体からなるものとすると、レーザー光１０ａを吸収して、レーザー光１０ａの波長よりも長い波長の波長変換光を放出する。
【００１８】
上方に向かった波長変換光ｇ２は、出射面３０ｂから外部に放出される。また、リフレクタ４０へ向かった波長変換光は、リフレクタ４０の傾斜した内壁で反射され、上方に曲げられ出射面３０ｂから放出される（ｇ２）。
【００１９】
他方、レーザー光１０ａのうち、波長変換層３２に吸収されなかった光の一部は、直接またはリフレクタ４０で反射されさらに上方に曲げられて出射面３０ｂから放出される（ｇ１）。レーザー光ｇ１と、波長変換光ｇ２と、が合成されて生成された照明光Ｇが上方へ向かって放出される。
【００２０】
なお、レーザー光１０ａの発光点のサイズは、たとえば、発光層の厚さ方向に１μｍ以下、発光層の水平方向に１０μｍ近傍であり、ＬＥＤと比較して小さい。また、半導体レーザの発光層に対して垂直方向の半値半角が、１５〜２０度の範囲、水平方向の半値半角が略５度、などであり鋭い指向性を有する。このため、線状導光体３０の狭い入射面３０ａに効率よく入射可能である。
【００２１】
半導体レーザーが、ＩｎＧａＮ／ＧａＮ系材料からなるものとする。半導体レーザーからのレーザー光１０ａが青紫〜青色光の波長範囲であり、波長変換層３２が黄色蛍光体を含むものとすると、照明光Ｇとして、白色光を得ることができる。
【００２２】
集合線状照明装置９０から高出力かつ高輝度である照明光Ｇを放出するためには、レーザー光１０ａを高出力とすることが必要である。このため、光源１０における発生熱は増大する。もし、光源１０が発光ユニット６０の近傍であると、波長変換層３２の温度が上昇し、波長変換光の光強度が低下する。
【００２３】
第１の実施形態では、光源１０と発光ユニット６０とは、光ファイバー２０を介して光源１０と結合される。波長変換層３２が蛍光体からなるものとすると、レーザー光を吸収して発熱するが、線状に分布しているのでリフレクタ４０から放熱されやすい。また、光源から離間しているので、熱伝導は小さい。このため、発光ユニット６０近傍の温度上昇が抑制できる。
【００２４】
本実施形態によれば、ツブツブ感を緩和し、連続的で自然な白色発光を実現できる。線状導光体３０の出射面３０ｂの幅を細くすることで、配光特性を制御する光学系を小さくできる。たとえば、光学系が凸レンズである場合、その半径を小さくすることができる。つまり、本実施形態の集合線状照明装置９０は、細い導光体と細い蛍光体と小さな光学系からなる、発熱の少ない小型・軽量の白色照明光源および灯具とすることができる。
【００２５】
また、白色発光領域には回路基板等の電気的配線を設ける必要がないので、取扱いが容易で、堅固で、かつ低コストにできる。また、ＬＤ（Laser  Diode)は高出力化が容易な素子である。さらに、ＬＤチップはｄｒｏｏｐがないので、ＬＥＤより小さい一個の素子からＬＥＤチップの数個分の光出力が得られる。つまり、少ない素子数で高出力化が可能である。素子数が少なければ、コスト低減が容易となる。
【００２６】
図３（ａ）は第２の実施形態にかかる集合線状照明装置の模式斜視図、図３（ｂ）は発光ユニットの模式斜視図、である。
第２の実施形態では、線状導光体３０は、光ファイバー２０のコアの先端部（破線領域）とする。コアの先端部において、外縁の少なくとも一部の領域に、蛍光体などからなる波長変換層３２が設けられる。また、図３（ｂ）のように、コアの外縁を覆うように設けられた波長変換層３２は、溝部４０ａ内に配設される。このようにして、照明光Ｇが発光ユニット６０ａ、６０ｂ、６０ｃから放出される。光ファイバー２０を線状導光体３０であると、発光ユニット６０を緩やかな曲線に沿った形状とすることができる。この場合、発光ユニット６０ａ、６０ｂ、６０ｃなどは、上方から見て曲線に沿って配置されてもよい。
【００２７】
図４（ａ）は発光ユニットの模式斜視図、図４（ｂ）はこれを用いた第３の実施形態にかかる集合線状照明装置の模式斜視図、である。
光ファイバー２０の先端部において、クラッドを除去し露出したコア領域を線状導光体３０とする。波長変換層３２は、コアの外縁に接して設けられる。波長変換層３２から放出された波長変換光と、波長変換層３２を通り抜けたレーザー光は合成され、照射光Ｇとなる。
【００２８】
図４（ｂ）において、波長変換層３２の上方を遮らないようにリフレクタ４０を互いに重ね合わせる。この場合、波長変換層３２の間の距離が短くなるように重ねることにより、輝度分布を平坦にすることができる。上方からみて、発光ユニット６０ａ、６０ｂ、６０ｃ、６０ｄ、６０ｅは、直線に沿って配置されている。
【００２９】
図５（ａ）は発光ユニットの模式斜視図、図５（ｂ）はレンズおよび放熱板を取り付けた発光ユニットの模式斜視図、図５（ｃ）はこれを用いた第４の集合線状照明装置の模式斜視図、である。
光ファイバー２０の先端部は、クラッドを除去し、溝部４０ａ内に配設される。さらにたとえば、蛍光体および光拡散剤が混合されたシリコーンが塗布され、硬化される。リフレクタ４０の厚さは、たとえば１ｃｍ以下とすることができる。
【００３０】
さらに、図５（ｂ）のように、リフレクタ４０が重ならない領域に放熱板７０を取り付けると、レーザー光１０ａを吸収することにより蛍光体に生じた熱を放散できる。放熱板７０には凹部７０ａを設け、連結された発光ユニット６０の光ファイバー２０を通し光源１０と光結合する。リフレクタ４０の上方に、たとえば、樹脂などからなるレンズ８０を配設すると、配光角を制御することができる。もし、レンズ８０の断面を凸状にすると、照明光Ｇを集光し高輝度とすることができる。
【００３１】
図６（ａ）は発光ユニットの模式断面図、図６（ｂ）は発光ユニットを直線に沿って配置した集合線状照明装置の模式斜視図、図６（ｃ）は溝部に蛍光体および光拡散剤を塗布した集合線状照明装置、図６（ｄ）はレンズを配設した集合線状照明装置、である。
図６（ａ）のように、光ファイバー２０は、折り曲げられ、リフレクタ４０の溝部４０ａに配設される。光ファイバー２０の水平部分を研磨してコア２０cを露出するか、またはクラッドを除去する。
【００３２】
図６（ｂ）のように、複数の発光ユニット６０を連結する。続いて、光ファイバー２０を蛍光体および光拡散剤が混合されたシリコーンなどで覆い、硬化する。このようにすると、表面が平坦な集合線状照明装置９０となる。さらに、図６（ｄ）のように、リフレクタ４０の上に、凸レンズ８０を配設すると、広がり角を狭くできる。
【００３３】
図７（ａ）は第６の実施形態にかかる集合線状照明装置の模式斜視図、図７（ｂ）はＡ−Ａ線の沿った模式断面図、である。
線状導光体３０は、透明パイプ状とし、内部に貫通孔３０ｄを有する。光ファイバー２０の第１の端部２０ａは光源１０と光結合可能である。また。光ファイバ２０の第２の端部２０ｂは線状導光体３０と光結合可能である。光ファイバー２０の第２の端部２０ｂは、たとえば、線状導光体３０の貫通孔３０ｄの一方に介挿される。貫通孔３０ｄの他方には、波長変換層３２が設けられる。
【００３４】
この場合、線状導光体３０の入射面は、図７（ｂ）に鎖線３０ｅで表す面とする。レーザー光１０ａは線状導光体３０内を伝搬し、波長変換層３２に入射する。波長変換光は、直接、またはリフレクタ４０の内壁により反射されたのち、出射面３０ｂから放出される。
【００３５】
図８は、第７の実施形態にかかる集合線状照明装置の模式斜視図である。
集合線状照明装置９１は、光源１０を駆動可能な制御部９２と、光源１０および制御部９２で生じた熱を放散可能な放熱体９６と、制御部９２および光源１０を収納可能であり、底面９４ａに放熱体９６が取り付け可能な筐体９４と、をさらに有する。
【００３６】
このようにすると、発光ユニット６０と、発生熱の大きい筐体９４とを分離でき、波長変換効率を高めることができる。また、発光ユニット６０は、電気回路がなくても、照明光を放出できる。
【００３７】
図８の光源１０は、複数の光源からなるものとすることができる。この場合、制御部９２は複数の光源を独立に駆動できる。このようにして、独立に駆動された光源からのレーザー光は、それぞれの線状導光体３０へ入射される。この駆動方法により、複数の発光ユニット６０を選択的に発光させることができる。
【００３８】
図９（ａ）は、レーザー光を掃引して線状導光体へ入射する集合線状照明装置の模式斜視図、図９（ｂ）はその変形例の部分模式斜視図、である。
図９（ａ）において、光源１０からのレーザー光１０ａを、掃引により、光ファイバー２０に選択的に入射させることができる。この場合、光源１０と第１の端部２０ａとの間に、たとえばポリゴンミラーやＭＥＭＳ（Micro Electro Mechanicaｌ  Systems)などの光学要素を設けレーザー光１０ａの光路を変化させると、それぞれの第１の端部２０ａを掃引することが容易となる。
【００３９】
図９（ｂ）において、線状導光体３０の先端部には波長変換層３２が設けられている。レーザー光１０ａは、軸の周りを回転するポリゴンミラーＭにより、線状導光体３０の入射面３０ａ上を順次掃引される。なお、ポリゴンミラーＭの代わりに、ＭＥＭＳなどを用いて、レーザー光１０ａの光路を切り替えることもできる。さらに、レーザー光１０ａは、複数のレーザー光を合成したものとすることができる。
【００４０】
第１〜第６の集合線状照明装置９０は、たとえば、高輝度の白色光源が必要な自動車のヘッドランプなどの灯具に利用することができる。
【００４１】
もし、高輝度ＬＥＤを複数並べた白色光源を用いた自動車用ヘッドランプの場合、次のような問題を生じる。すなわち、高輝度のＬＥＤチップは放熱と低抵抗、さらにｄｒｏｏｐと呼ばれる高電流密度動作での出力低下を防ぐために、チップ面積を大きくする必要がある。通常、高輝度ＬＥＤチップは、一般に１ｍｍ角以上の面積であるため、ヘッドランプに必要な配光を得るための光学系、たとえば反射鏡やレンズは大きなものとなる。
【００４２】
また、ＨＩＤ（High Intensity  Discharge)ランプ/ハロゲン電球の場合のように、ＬＥＤも白色発光部が高温になる。たとえば、アーク放電を利用するＨＩＤは内管が４００℃であり、ハロゲン電球もフィラメントは高温である。ＬＥＤもＬＥＤチップと蛍光体の両方が発熱する。固体発光素子は、電流の自乗で発熱が増えるため、高輝度ＬＥＤは放熱が課題となる。したがって、ＬＥＤをヘッドランプに応用する場合は、ヘッドランプユニットに放熱のためのヒートシンクやフィンが必要になり、重量もサイズも大きくなる。
【００４３】
このため、重量もサイズも大きいＬＥＤヘッドランプは、ヘッドランプの配光をステアリング方向に向け、進行方向に光を照射し視認性向上を図ったＡＦＳ(Adaptive Front-Lighting System：アダプティブ・フロント ライティング システム) などに用いることは困難である。
【００４４】
これに対して、本実施形態では、たとえば、光軸が異なる２つの集合線状照明装置９０を配置することができる。この場合、制御部９２は、集合線状照明装置９０を選択的にオンすることにより、照明光Ｇの配光方向をハイ（Ｈ）ビームモード、またはロー（Ｌ）ビームモードに切り替えることができる。また、制御部９２は、複数の発光ユニット６０のオン・オフを制御し配光特性を変化することができる。たとえば、５つの発光ユニット６０からの照明光Ｇ１〜Ｇ５のオン・オフにより、ヘッドランプの点灯幅を制御可能である。または、独立の光源を制御し、それぞれの発光ユニット６０へ入射する光強度を制御可能である。このようにして、ＡＦＳが容易に可能となる。
【００４５】
図１０は、集合線状照明装置を応用した画像表示装置用バックライト光源の模式斜視図である。
バックライト光源（Light  Bar)は、集合線状照明装置９０と、薄い導光板８２と、バックフレーム８６と、光学シート８４と、を有する。光学シート８４に上には、たとえば液晶パネルが設けられる。
【００４６】
すなわち、細くて連続的な線状発光領域は、薄い導光板８２の側面に効率よく光を入射可能である。また、筐体９４は、導光板８２から離間して配置できる。たとえば画像表示装置が液晶表示装置の場合、その制御部も導光体８２から離間して配置できる。こ場合、駆動信号を無線で送信することができ、薄型壁掛ＴＶなどが実現できる。この場合、青色ＬＤにより励起する緑、赤色蛍光体を用いてもよいし、ＲＧＢのそれぞれのＬＤ出力を順次に、または合成して光ファイバーに入力してもよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１０  光源、１０ａ  レーザー光、２０  光ファイバー、３０  線状導光体、３２  波長変換層、４０  リフレクタ、４０ａ  溝部、６０、６０ａ、６０ｂ、６０ｃ、６０ｄ、６０ｅ、発光ユニット、８０  レンズ、９０、９１  集合線状照明装置、９２  制御部、９４  筐体、９６  放熱体、Ｇ  照明光
【図１】
2013080638.tif 000003
【図２】
2013080638.tif 000004
【図３】
2013080638.tif 000005
【図４】
2013080638.tif 000006
【図５】
2013080638.tif 000007
【図６】
2013080638.tif 000008
【図７】
2013080638.tif 000009
【図８】
2013080638.tif 000010
【図９】
2013080638.tif 000011
【図１０】
2013080638.tif 000012